(57)【特許請求の範囲】
【請求項１】
圧縮機、凝縮器、膨張弁及び蒸発器を配管接続して冷媒を封入することで冷凍サイクルを構成したヒートポンプを備え、このヒートポンプの蒸発器により排熱を回収しつつ、前記凝縮器により給水管に給送される原水を昇温して温水を生成するようにした温水生成装置において、
前記給水管における前記凝縮器と熱交換される部分に残った残水を排出し、それに代わって原水を補給する残水排出手段を設けたことを特徴とするヒートポンプを用いた温水生成装置。
【請求項２】
前記温水生成装置が、ヒートポンプの蒸発器により食器洗浄機からの排湯の熱を回収しつつ、凝縮器により給水管に給送される原水を昇温して温水を生成し、その温水を食器洗浄機の貯湯タンクに供給するものであって、前記排出された残水が、前記蒸発器に向けて散水可能とされていることを特徴とする請求項１記載のヒートポンプを用いた温水生成装置。
【請求項３】
前記温水生成装置が、ヒートポンプの蒸発器により食器洗浄機からの排湯の熱を回収しつつ、凝縮器により給水管に給送される原水を昇温して温水を生成し、その温水を食器洗浄機の貯湯タンクに供給するものであって、前記排出された残水が、バイパス路を通して食器洗浄機の貯湯タンクに供給可能とされていることを特徴とする請求項１記載のヒートポンプを用いた温水生成装置。
【請求項４】
圧縮機、凝縮器、膨張弁及び蒸発器を配管接続して冷媒を封入することで冷凍サイクルを構成したヒートポンプを備え、このヒートポンプの蒸発器により排熱を回収しつつ、前記凝縮器により給水管に給送される原水を昇温して温水を生成するようにした温水生成装置において、
前記冷凍サイクルには圧縮機の停止時に閉弁して圧縮機の低圧側への冷媒の流通を遮断する開閉弁が設けられ、かつこの開閉弁は圧縮機の起動から所定時間遅延して開弁制御されることを特徴とするヒートポンプを用いた温水生成装置。
【発明の詳細な説明】
【０００１】
【発明の属する技術分野】
本発明は、ヒートポンプを用いて温水を生成する装置に関する。
【０００２】
【従来の技術】
例えば食器洗浄機で使用するすすぎ用の温水を得る場合に、冷凍サイクルを構成したヒートポンプで温水を生成して供給するものが実用化に向けて開発されつつある。これは、ヒートポンプにおける蒸発器を、食器洗浄機からの排湯を貯留する回収タンク内に熱交換可能な状態に配設する一方、凝縮器を、原水を給送する給水管と熱交換可能な状態に配設した構造であって、食器洗浄機においてすすぎ工程が行われて洗浄タンクからオーバーフローした排湯が回収タンクに取り込まれると、蒸発器で排熱が回収されつつ凝縮器で原水が昇温されて温水が生成され、食器洗浄機の貯湯タンクに供給される。温水の生成並びに供給は、貯湯タンクが満水となったところで停止され、次にすすぎ工程が行われると、ヒートポンプが再度運転されることにより温水が生成されて供給され、それが繰り返し行われるようになっている。
【０００３】
【発明が解決しようとする課題】
ところで、上記した温水の生成と供給が停止した時点では、給水管における凝縮器と熱交換される部分において、生成された温水がその中に残った状態にある。したがって次にヒートポンプの圧縮機が運転された場合、とりわけ短い時間間隔で圧縮機の運転が再開されたときには、残水が未だ高温であって冷媒に対する凝縮能力が不足し、そのため運転の立上り時に圧縮機の高圧側の圧力が一時的に異常上昇し、圧縮機が過負荷運転されるおそれがある。
本発明は上記のような事情に基づいて完成されたものであって、その目的は、ヒートポンプにより温水を生成する場合において、圧縮機の高圧側が異常に圧力上昇することを未然に防止するところにある。
【０００４】
【課題を解決するための手段】
上記の目的を達成するための手段として、請求項１の発明は、圧縮機、凝縮器、膨張弁及び蒸発器を配管接続して冷媒を封入することで冷凍サイクルを構成したヒートポンプを備え、このヒートポンプの蒸発器により排熱を回収しつつ、前記凝縮器により給水管に給送される原水を昇温して温水を生成するようにした温水生成装置において、前記給水管における前記凝縮器と熱交換される部分に残った残水を排出し、それに代わって原水を補給する残水排出手段を設けた構成としたところに特徴を有する。
請求項２の発明は、請求項１の発明において、前記温水生成装置が、ヒートポンプの蒸発器により食器洗浄機からの排湯の熱を回収しつつ、凝縮器により給水管に給送される原水を昇温して温水を生成し、その温水を食器洗浄機の貯湯タンクに供給するものであって、前記排出された残水が、前記蒸発器に向けて散水可能とされている構成としたところに特徴を有する。
請求項３の発明は、請求項１の発明において、前記温水生成装置が、ヒートポンプの蒸発器により食器洗浄機からの排湯の熱を回収しつつ、凝縮器により給水管に給送される原水を昇温して温水を生成し、その温水を食器洗浄機の貯湯タンクに供給するものであって、前記排出された残水が、バイパス路を通して食器洗浄機の貯湯タンクに供給可能とされている構成としたところに特徴を有する。
【０００５】
請求項４の発明は、圧縮機、凝縮器、膨張弁及び蒸発器を配管接続して冷媒を封入することで冷凍サイクルを構成したヒートポンプを備え、このヒートポンプの蒸発器により排熱を回収しつつ、前記凝縮器により給水管に給送される原水を昇温して温水を生成するようにした温水生成装置において、前記冷凍サイクルには圧縮機の停止時に閉弁して圧縮機の低圧側への冷媒の流通を遮断する開閉弁が設けられ、かつこの開閉弁は圧縮機の起動から所定時間遅延して開弁制御される構成としたところに特徴を有する。
【０００６】
【発明の作用及び効果】
＜請求項１の発明＞
残水排出手段により、給水管における凝縮器と熱交換される部分に残った温水が排出されて、それに代わって低温の原水が供給され、凝縮器部分の冷媒に対する凝縮能力が回復される。したがって、圧縮機が運転された場合にその高圧側の圧力が異常上昇することが未然に防止され、圧縮機を過負荷が作用することなく正常に運転でき、また高圧側の機器が損傷を受けることも防止できる。
＜請求項２の発明＞
排出された残水が蒸発器に向けて散水され、蒸発器の清掃に利用される。汚れの付きやすい蒸発器が常に清浄に保たれ、効率良く熱交換することができる。
＜請求項３の発明＞
排出された残水が食器洗浄機の貯湯タンクに供給される。ヒートポンプで生成された温水をすずき用の温水として無駄なく利用することができる。
【０００７】
＜請求項４の発明＞
開閉弁は圧縮機の停止時に閉弁され、運転の再開時には開弁されるものの、圧縮機の起動時からは所定時間遅れて開弁される。これにより圧縮機の運転の立上り時に冷媒が圧縮機の低圧側に流通することが阻止され、圧縮機の高圧側の圧力が一時的に異常上昇することが防止される。
【０００８】
【発明の実施の形態】
以下、本発明を食器洗浄機で使用する温水の生成装置に適用した実施形態を添付図面に基づいて説明する。
＜第１実施形態＞
図１ないし図７によって本発明の第１実施形態を説明する。図１において、符号１は食器洗浄機であって、その側方に、ヒートポンプ２１を装備した温水生成装置２０が設置される。まず食器洗浄機１の構造について説明すると、その内部の上方側には、図示しないラックを介して食器が出し入れ可能に収納される洗浄室２が形成されており、この洗浄室２の上面側と下面側に、洗浄ノズル３とすすぎノズル４とが一対ずつ配設されている。洗浄室２の底面の一側には、アルカリ洗剤の混入された洗浄水を貯留する洗浄タンク６が形成され、そこに貯められた洗浄水は、洗浄ポンプ７により汲み上げられて上記した洗浄ノズル３から食器に向けて噴射され、そののち洗浄タンク６内に回収されるといったように循環供給される。
【０００９】
洗浄タンク６の下方には、すすぎ用の温水を貯留する貯湯タンク８が装備されている。この貯湯タンク８内には、詳しくは後記するように温水生成装置２０で生成された温水が、給湯弁９の介設された給水管１０により供給されて貯留される。貯められた温水は、すすぎポンプ１１により汲み上げられてすすぎノズル４から食器に向けて噴射され、上記の洗浄タンク６内に回収される。洗浄タンク６にはオーバーフローパイプ１３が装備されており、このオーバーフローパイプ１３は、洗浄タンク６からオーバーフローした排湯を取り込んで、排湯管１４を通して温水生成装置２０に設けられた排湯回収タンク３０内に排出するようになっている。なお、洗浄タンク６と貯湯タンク８内にはそれぞれヒータ１５，１６と図示しないサーモスタットが装備されていて、洗浄水は約６０℃に、すすぎ用の温水は約８０℃に保温されるようになっている。
すなわち食器が洗浄室２に収納されると、洗浄ノズル３から洗浄水が噴射されて食器が洗浄され、続いてすすぎノズル４から温水が噴射されてすすぎが行われる。そして、洗浄タンク６に回収し切れずにオーバーフローした排湯が温水生成装置２０側に排出されて排熱が回収され、その回収した熱が、給水管１０に給送される水道水等の原水と熱交換されることで温水が生成されて、上記した貯湯タンク８に供給されるようになっている。
【００１０】
続いて温水生成装置２０について詳細に説明する。この温水生成装置２０はヒートポンプ２１を備えており、箱状をなす本体２２内に収納されるようになっている。ヒートポンプ２１は、図６にも示すように、圧縮機２４、凝縮器２５、膨張弁２６及び蒸発器２７が循環接続され、その中に冷媒であるフロンガス（Ｒ−２２）が流通可能に封入されることで冷凍サイクルを構成している。
圧縮機２４は比較的大型のものであって、図２，３に示すように、本体２２内の底面上に設置されている。その圧縮機２４の側方には蓋板３１付きの排湯回収タンク３０が設置されている。この排湯回収タンク３０には、図４，５に示すように、上記の冷凍サイクルの構成部品であるパイプ状の蒸発器２７が、その内周面に沿って螺旋状に巻装されており、その入り口２７ａと出口２７ｂとが蓋板３１の上面に突出されて冷媒配管２１ａと接続されている。排湯回収タンク３０の上部の一側には排湯の導入口３２が設けられ、食器洗浄機１における洗浄タンク６のオーバーフローパイプ１３から引き出された排湯管１４と接続されており、洗浄タンク６からオーバーフローした排湯を導入し得るようになっている。他側には、排湯回収タンク３０自身のオーバーフロー水を排出する排出口３３が設けられ、排水管３４が接続されている。
【００１１】
排湯回収タンク３０内には、プロペラ状の攪拌具３６が備えられており、蓋板３１上に設けられた駆動モータ３７によりシャフト３８を介して回転駆動されるようになっている。また、排湯回収タンク３０の底面には排水弁４０が設けられている。この排水弁４０は常開式のものであって、蓋板３１を貫通して上下動自由に装備されたロッド４１の先端に、底面に開口された弁口４２の上面側に接離して開閉する弁体４３が設けられ、常にはロッド４１がばね部材４４により上動付勢されて、図５の鎖線に示すように弁体４３が引き上げられることで弁口４２が開いており、蓋板３１上にブラケット４５を介して取り付けられたソレノイド４６の励磁力により、同図の実線に示すようにロッド４１並びに弁体４３を付勢力に抗して押し下げることで弁口４２が閉じられるようになっている。この排水弁４０は上記した排水管３４に合流して接続されている。また、排湯回収タンク３０の蓋板３１には、蒸発器２７に向けて温水を散水することでそれを洗浄するための２個の散水ノズル４８が設けられている。
【００１２】
凝縮器２５は大径のパイプ状に形成されており、その中に、すすぎ水の原水を給送する給水管１０の途中部分が挿通され、熱交換を可能とした二重管部２８が形成されている。この二重管部２８が、図２，３に示すように、本体２２の２つの側面の内側にわたって回曲しつつ張り巡らされている。給水管１０の出口側は、上記のように食器洗浄機１の貯湯タンク８に接続されている。また膨張弁２６は、感温筒２６ａが付設された温度式のものである（図６参照）。なお、本体２２内には、ヒートポンプ２１の冷凍サイクルや給排水等を制御するための装置を収納した制御ボックス４９が備えられている。
【００１３】
さらに図６によって冷凍サイクルについて言及する。圧縮機２４の高圧側と低圧側との間にはバイパス管５１が設けられ、そこに容量調整弁５２が設けられている。この容量調整弁５２は、熱負荷（熱源）が足りないときや、初期給湯時のようにまったく無いときに、高圧側のホットガスを低圧側にバイパスして、低圧側の圧力が過剰に低下することを防止するように機能する。
給水管１０における二重管部２８から出たところには、自動給水弁５３が設けられている。この自動給水弁５３は、高圧側の圧力を検知してそれに応じて給水量を調節し、高圧側の圧力を一定に保つとともに、略一定温度の温水を取り出すように機能する。なお取り出す温水の温度を一定に保つ手段としては、温水の温度を検知しつつ、その検知信号に基づいて給水量を調整するものもあるが、この方法では、温度を検知してから給水量を制御するまでに時間が掛かり、正確さに欠ける。その点、本実施形態の圧力式の自動給水弁５３によれば、冷媒の圧力変動に基づいて直接に弁の開口度を変化させて給水量を調整するようになっているから、取り出される温水の温度制御を正確に行うことができる。
【００１４】
給水管１０における自動給水弁５３の上流側には、分流弁５４を介設した散水ホース５５が分岐して接続され、この散水ホース５５が、前記した排湯回収タンク３０の蓋板３１に設けられた散水ノズル４８に接続されている。この分流弁５４は、詳しくは後記するように、常には閉弁していて、ヒートポンプ２１の運転の停止時に１０〜１５秒程度開弁制御されるようになっている。
凝縮器２５の出口側の冷媒配管２１ａと、原水の給水管１０における二重管部２８に入る手前側の部分とが密着状に並列配管されることにより、第１の補助熱交換部５７が構成されている。この第１補助熱交換部５７は、凝縮器２５から出た液冷媒とすすぎ水の原水との間で熱交換させることによって、原水を予熱するように機能する。
また、上記の第１補助熱交換部５７を構成する部分の下流側の冷媒配管２１ａと、蒸発器２７の出口側の冷媒配管２１ａとが同じく密着状に並列配管されることで、第２の補助熱交換部５８が構成されている。この第２補助熱交換部５８は、蒸発器２７を経た低温冷媒を凝縮器２５から出た高温液冷媒で加熱することにより、特に運転後半において圧縮機２４側への液戻り現象が起きるのを抑制し、併せて熱利用効率を高めるように機能する。
【００１５】
上記の第２補助熱交換部５８を構成する部分と、膨張弁２６との間における冷媒配管２１ａにはレシーバ５９が介設されている。このレシーバ５９は、例えば冷媒を過充填したときや、内部のバランスが崩れて液冷媒が過剰となった場合にそれを溜め、凝縮器２５に液冷媒が滞留するのを防止するように機能する。
レシーバ５９と膨張弁２６との間には冷媒電磁弁６０が介設されている。この冷媒電磁弁６０は、それを閉じることで、膨張弁２６並びに蒸発器２７を介して冷媒が圧縮機２４の低圧側に流通することを阻止するようになっている。
上記した構成部品が図示しない制御手段に接続され、所定のタイミングで作動制御されるようになっている。
【００１６】
続いて、本第１実施形態の作動を図７のタイミングチャートを参照しつつ説明する。洗浄運転は、食器洗浄機１の洗浄タンク６と貯湯タンク８とが満水の状態から行われる。
初めに洗浄すべき食器をラックに収めて洗浄室２内に収容する（ラック作業）。ラック作業が完了すると洗浄サイクルが開始され、洗浄タンク６内の洗浄水が洗浄ポンプ７で汲み上げられて洗浄ノズル３から噴出されるといった洗浄作業が数十秒間にわたって行われる。５秒程度の停止時間（水切り時間）があったのち、引き続いてすすぎサイクルが開始され、貯湯タンク８内の温水がすすぎポンプ１１で汲み上げられてすすぎノズル４から噴出されるといったすすぎ作業が７秒程度行われる。そののち５秒程度の停止時間（同じく水切り時間）が設定され、それにより１回の洗浄工程が完了する。
【００１７】
上記において、すすぎサイクルが開始されると、貯湯タンク８内に備えられたフロートスイッチがオフとなることで給湯弁９が開弁されるとともに、圧縮機２４がオンしてヒートポンプ２１が稼働し始める。また、排湯回収タンク３０に設けられたソレノイド４６が励磁されて常開式の排水弁４０が閉弁されるとともに、攪拌具３６が回転駆動される。一方、冷媒電磁弁６０は、圧縮機２４の運転開始から約５秒遅れて開弁される。これにより冷媒が圧縮機２４の低圧側に流通することが遅延されるので、圧縮機２４の高圧側の圧力が一時的に異常上昇することが抑えられる。冷媒電磁弁６０が遅れて開弁されることは、ヒートポンプ２１の実質的な立上りが遅れることになるが、すすぎサイクルの開始後に洗浄タンク６からオーバーフローしてくる排湯は、少し遅れて排湯回収タンク３０に流入し、実際に蒸発器２７が吸熱を始めるのは数秒後であるから、立上りの遅れは問題とはならない。
【００１８】
排湯回収タンク３０では、食器洗浄機１の洗浄タンク６からオーバーフローした排湯が少しずつ（数十秒をかけて）取り込まれる。排湯の取り込みの最中からヒートポンプ２１はフル運転して蒸発器２７に液冷媒を供給し、攪拌具３６により排湯が攪拌されて熱交換が促進されつつ吸熱を始める。実際に吸熱に掛けることのできる時間は数十秒であるため、膨張弁２６は比較的大きな流量（冷凍能力）のものが使用され、立上りからすぐに多くの冷媒が供給される。
その吸熱の最中に、まず洗浄タンク６からのオーバーフローが終わり、排湯回収タンク３０が満水となる。吸熱はさらに継続されるが、蒸発器２７に冷媒が十分に行き届くと、感温筒２６ａで検知される温度が低下することで膨張弁２６が閉じ始める。しかしながら、膨張弁２６の流量制御のタイミングがどうしても遅れるので少し液戻りぎみになる。そのため、第２補助熱交換部５８で加熱されることで液戻りの抑制が図られ、それと併せて熱利用効率の向上が図られる。
この間、給水管１０に送給されたすすぎ水の原水は、第１補助熱交換部５７で予熱されたのち、二重管部２８において冷媒と熱交換されて昇温され、温水となって給湯弁９を介して食器洗浄機１の貯湯タンク８に次第に供給される。貯湯タンク８に所定量温水が溜まってフロートスイッチがオンすると、給湯弁９が閉じるとともに、圧縮機２４がオフとなり、また冷媒電磁弁６０が閉弁してヒートポンプ２１の運転が停止される。また排湯回収タンク３０の排水弁４０が開弁されるとともに、攪拌具３６が停止され、排湯回収タンク３０内の排湯が排出される。
【００１９】
このようにヒートポンプ２１が停止したときには、二重管部２８内に生成された温水が未だ残った状態にあるが、この実施形態では、ヒートポンプ２１の停止に伴って分流弁５４が１０〜１５秒間開弁され、二重管部２８内に残った温水が散水ホース５５側に分流される。その温水は、排湯回収タンク３０の散水ノズル４８から蒸発器２７に向けて散水され、蒸発器２７の表面が洗浄される。そののち排湯回収タンク３０の排湯が完全に排出される。そして、上記の温水が排出されることに代わって、二重管部２８には低温の原水が供給される。これにより、凝縮器２５内の冷媒に対する凝縮能力が回復される。したがって次に圧縮機２４が運転された場合に、凝縮能力不足に起因して高圧側の圧力が一時的に異常上昇することが防止される。また既述したと同様に、圧縮機２４の運転が開始されてから遅れて冷媒電磁弁６０が開弁されるから、これも高圧側の圧力上昇を回避できることにつながる。
【００２０】
以上説明したように本第１実施形態によれば、ヒートポンプ２１の運転が停止されたときに、二重管部２８に残った温水を排出してそれに代わって低温の原水が供給されるようにしたから、凝縮器２５内の冷媒に対する凝縮能力が回復され、次に圧縮機２４が運転された場合に、その高圧側の圧力が一時的に異常上昇することが未然に防止される。また、圧縮機２４の運転開始時の所定時間は冷媒電磁弁６０が閉じられていて、圧縮機２４の低圧側への冷媒の流通が停止されるから、これも圧縮機２４の高圧側の一時的な圧力上昇を防止することに役立つ。これにより、圧縮機２４を過負荷が作用することなく正常に運転でき、また高圧側の機器が損傷を受けることも防止される。
また、排出された温水は蒸発器２７を清掃することに利用され、蒸発器２７が常に清浄に保たれて、排湯から効率良く熱回収することができる。
【００２１】
なお、二重管部２８に残った温水を排出するタイミングとしては、ヒートポンプ２１の運転の立上り時に設定することも可能である。また、二重管部２８の残水の温度を検知する手段を設け、ヒートポンプ２１の停止中において、残水の温度が凝縮能力に不足を来す、例えば４０〜５０℃を超えたことが検知されたら、残水を排出するような構成としてもよい。
【００２２】
＜第２実施形態＞
次に、本発明の第２実施形態を図８及び図９によって説明する。
この第２実施形態では、第１実施形態の散水ホース５５を設けた構造に代えて、図８に示すように、自動給水弁５３の入り口側と出口側との間にバイパス管６２が設けられ、このバイパス管６２に、開閉式のバイパス弁６３が介設されている。その他の構造は前記の第１実施形態と同様である。なお、構成部品の一部において、第１実施形態とは制御タイミングが異なっているが、作動の説明において併せて説明する。
【００２３】
第２実施形態の作動を図９のタイミングチャートを参照して説明する。
食器洗浄機１において洗浄サイクルが終了してすすぎサイクルが開始されると、ヒートポンプ２１による温水の生成体勢となるのであるが、すすぎサイクルが始まった時点では、給湯弁９が開弁されるだけに留まり、圧縮機２４の運転、排水弁４０の閉弁動作、及び冷媒電磁弁６０の開弁動作は数秒間遅延され、すなわち実際のヒートポンプ２１の運転は遅れて開始される。
一方、すすぎサイクルが始まった時点では、前回のヒートポンプ２１により生成された温水が未だ二重管部２８内に残った状態にあり、この温水が高温であると、凝縮器２５内の冷媒に対する凝縮能力不足を来すことになる。そのため、上記した遅延時間の間、給水管１０に設けられたバイパス管６２のバイパス弁６３が開弁される。そうすると、二重管部２８内の残水が、バイパス管６２を通って給水管１０から食器洗浄機１の貯湯タンク８に供給され、それに代わって二重管部２８には低温の原水が供給される。これにより凝縮器２５内の冷媒に対する凝縮能力が回復される。
【００２４】
そして上記した遅延時間ののち、圧縮機２４が運転される等によってヒートポンプ２１が実際に立ち上がるのであるが、そのときには二重管部２８には低温の原水が供給されて凝縮能力が回復しているので、立上り時において圧縮機２４の高圧側の圧力が一時的に異常上昇することが防止される。
それ以降は同様にして、ヒートポンプ２１の蒸発器２７により食器洗浄機１からの排湯の熱を回収しつつ、二重管部２８において凝縮器２５により給水管１０に給送される原水を昇温して温水を生成し、その温水が食器洗浄機１の貯湯タンク８に供給される。そして次のすすぎサイクルが始まった時点で、二重管部２８に残った温水がバイパス管６２を通して抜かれて、貯湯タンク８内に供給される。
【００２５】
このように第２実施形態では、ヒートポンプ２１の圧縮機２４の運転開始が遅延されている間に、二重管部２８に残った温水をバイパス管６２を通して食器洗浄機１の貯湯タンク８に排出し、それに代わって低温の原水が二重管部２８に供給されるようにしたから、凝縮器２５内の冷媒に対する凝縮能力が回復され、引き続いて圧縮機２４が運転された場合に、その高圧側の圧力が一時的に異常上昇することが未然に防止される。特に、二重管部２８から排出した残水を貯湯タンク８に供給するようにしたから、ヒートポンプ２１で生成された温水をすずき用の温水として無駄なく利用することができる。
なお、バイパス管６２を通して残水を貯湯タンク８に向けて排出するタイミングは、ヒートポンプ２１の運転終了時に一定時間設定するようにしてもよい。その間は、残水が貯湯タンク８に供給されることを許容するように、給湯弁９を開放しておく必要がある。
【００２６】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、フロンガスを冷媒として用いたものを例示したが、他の冷媒を用いて冷凍サイクルを構成したヒートポンプを使用することも可能である。
（２）また本発明は、食器洗浄機に温水を供給する場合に限らず、ヒートポンプを用いて温水を生成する装置全般に広く適用することが可能である。
【図面の簡単な説明】
【図１】  本発明の第１実施形態の全体構造を示す概略図である。
【図２】  温水生成装置の上面から見た断面図である。
【図３】  その正面から見た断面図である。
【図４】  排湯回収タンクの上面から見た断面図である。
【図５】  その正面から見た断面図である。
【図６】  ヒートポンプの冷凍サイクル図及び給水回路図である。
【図７】  洗浄運転及び残水排出動作を示すタイミングチャートである。
【図８】  本発明の第２実施形態に係るヒートポンプの冷凍サイクル図及び給水回路図である。
【図９】  その洗浄運転及び残水排出動作を示すタイミングチャートである。
【符号の説明】
１…食器洗浄機  ８…貯湯タンク  １０…給水管  ２０…温水生成装置  ２１…ヒートポンプ  ２１ａ…冷媒配管  ２４…圧縮機  ２５…凝縮器  ２６…膨張弁  ２７…蒸発器  ３０…排湯回収タンク  ４８…散水ノズル  ５３…自動給水弁  ５４…分流弁  ５５…散水ホース  ６０…冷媒電磁弁  ６２…バイパス管  ６３…バイパス弁
【図１】
0003745468.tif 000002
【図２】
0003745468.tif 000003
【図３】
0003745468.tif 000004
【図４】
0003745468.tif 000005
【図５】
0003745468.tif 000006
【図６】
0003745468.tif 000007
【図７】
0003745468.tif 000008
【図８】
0003745468.tif 000009
【図９】
0003745468.tif 000010